(57)【要約】【課題】移動部材を挿入孔の閉鎖側に容易に移動させる。【解決手段】コネクタ構造１０では、メスコネクタ１２において固定爪２６Ｂが固定壁１４Ａに係合された状態で、配線３４が固定パーツ３０の挿通孔３２を介してメスコネクタ１２の挿入孔１６に挿入される。次に、メスコネクタ１２にオスコネクタ４０が装着される際に、オスコネクタ４０の解除リブ４０Ａが固定爪２６Ｂの固定壁１４Ａへの係合を解除して、メスコネクタ１２の移動爪２６が上側に回動されることで、固定パーツ３０が閉鎖部３０Ｂによる挿入孔１６の閉鎖側に移動される。このため、固定パーツ３０を挿入孔１６の閉鎖側に容易に移動させることができる。【選択図】図４
2017220377.tif 000002
【特許請求の範囲】
【請求項１】
挿入孔が設けられる第１コネクタと、
前記挿入孔に挿入される配線と、
前記第１コネクタに装着される第２コネクタと、
前記第１コネクタに前記第２コネクタが装着される際に前記挿入孔の閉鎖側に移動されて前記第１コネクタに対する前記配線の移動が抑制される移動部材と、
を備えたコネクタ構造。
【請求項２】
前記第１コネクタに前記第２コネクタが装着される際に前記第１コネクタ、前記移動部材又は前記第２コネクタへの係合が解除されて前記移動部材が前記挿入孔の閉鎖側に移動される係合部を備えた請求項１記載のコネクタ構造。
【請求項３】
前記第１コネクタに前記第２コネクタが装着される際に移動されて前記移動部材が前記挿入孔の閉鎖側に移動される移動部を備えた請求項１又は請求項２記載のコネクタ構造。
【請求項４】
前記配線を構成し、前記挿入孔に挿入されるターミナルと、
前記配線を構成すると共に、前記ターミナルの一側部分に接続されて前記挿入孔から延出され、前記移動部材が前記挿入孔の閉鎖側に移動されて他側に配置されるハーネスと、
を備えた請求項１〜請求項３の何れか１項記載のコネクタ構造。
【発明の詳細な説明】
【技術分野】
【０００１】
本発明は、第１コネクタの挿入孔に配線が挿入されるコネクタ構造に関する。
【背景技術】
【０００２】
下記特許文献１に記載のフラットハーネスでは、コネクタハウジングのキャビティに端子金具及び回路基板が挿入されており、第１リテーナ及び第２リテーナがキャビティの閉鎖側に移動されて、それぞれコネクタハウジングに対する端子金具及び回路基板の移動が抑制される。
【０００３】
ここで、このフラットハーネスでは、第１リテーナ及び第２リテーナをキャビティの閉鎖側に容易に移動させることができるのが好ましい。
【先行技術文献】
【特許文献】
【０００４】
【特許文献１】特開２０１３−２０８００号公報
【発明の概要】
【発明が解決しようとする課題】
【０００５】
本発明は、上記事実を考慮し、移動部材を挿入孔の閉鎖側に容易に移動させることができるコネクタ構造を得ることを目的とする。
【課題を解決するための手段】
【０００６】
請求項１に記載のコネクタ構造は、挿入孔が設けられる第１コネクタと、前記挿入孔に挿入される配線と、前記第１コネクタに装着される第２コネクタと、前記第１コネクタに前記第２コネクタが装着される際に前記挿入孔の閉鎖側に移動される移動部材と、を備えている。
【０００７】
請求項２に記載のコネクタ構造は、請求項１に記載のコネクタ構造において、前記第１コネクタに前記第２コネクタが装着される際に前記第１コネクタ、前記移動部材又は前記第２コネクタへの係合が解除されて前記移動部材が前記挿入孔の閉鎖側に移動される係合部を備えている。
【０００８】
請求項３に記載のコネクタ構造は、請求項１又は請求項２に記載のコネクタ構造において、前記第１コネクタに前記第２コネクタが装着される際に移動されて前記移動部材が前記挿入孔の閉鎖側に移動される移動部を備えている。
【０００９】
請求項４に記載のコネクタ構造は、請求項１〜請求項３の何れか１項に記載のコネクタ構造において、前記配線を構成し、前記挿入孔に挿入されるターミナルと、前記配線を構成すると共に、前記ターミナルの一側部分に接続されて前記挿入孔から延出され、前記移動部材が前記挿入孔の閉鎖側に移動されて他側に配置されるハーネスと、を備えている。
【発明の効果】
【００１０】
請求項１に記載のコネクタ構造では、第１コネクタの挿入孔に配線が挿入されると共に、第１コネクタに第２コネクタが装着される。また、移動部材が挿入孔の閉鎖側に移動されて、第１コネクタに対する配線の移動が抑制される。
【００１１】
ここで、第１コネクタに第２コネクタが装着される際に、移動部材が挿入孔の閉鎖側に移動される。このため、移動部材を挿入孔の閉鎖側に容易に移動させることができる。
【００１２】
請求項２に記載のコネクタ構造では、第１コネクタに第２コネクタが装着される際に、第１コネクタ、移動部材又は第２コネクタへの係合部の係合が解除されて、移動部材が挿入孔の閉鎖側に移動される。このため、第１コネクタに第２コネクタが装着される際に移動部材を挿入孔の閉鎖側に移動させることができる。
【００１３】
請求項３に記載のコネクタ構造では、第１コネクタに第２コネクタが装着される際に、移動部が移動されて、移動部材が挿入孔の閉鎖側に移動される。このため、第１コネクタに第２コネクタが装着される際に移動部材を挿入孔の閉鎖側に移動させることができる。
【００１４】
請求項４に記載のコネクタ構造では、配線をターミナル及びハーネスが構成しており、ターミナルが挿入孔に挿入されると共に、ハーネスがターミナルに接続されて挿入孔から延出される。
【００１５】
ここで、ターミナルの一側部分にハーネスが接続されると共に、移動部材が挿入孔の閉鎖側に移動されてハーネスの他側に配置される。このため、移動部材がハーネスを一側に移動させることを抑制でき、移動部材がハーネスを介してターミナルを移動させることを抑制できる。
【図面の簡単な説明】
【００１６】
【図１】本発明の第１実施形態に係るコネクタ構造のメスコネクタ及び固定パーツを示す左方から見た断面図である。
【図２】本発明の第１実施形態に係るコネクタ構造の固定パーツを示す後方から見た正面図である。
【図３】本発明の第１実施形態に係るコネクタ構造のメスコネクタ、固定パーツ及び配線を示す左方から見た断面図である。
【図４】本発明の第１実施形態に係るコネクタ構造を示す左方から見た断面図である。
【図５】本発明の第２実施形態に係るコネクタ構造を示す左方から見た断面図である。
【発明を実施するための形態】
【００１７】
［第１実施形態］
図４には、本発明の第１実施形態に係るコネクタ構造１０が左方から見た断面図にて示されている。なお、図面では、コネクタ構造１０の前方を矢印ＦＲで示し、コネクタ構造１０の前方を矢印ＲＨで示し、コネクタ構造１０の上方を矢印ＵＰで示す。
【００１８】
図４に示す如く、本実施形態に係るコネクタ構造１０は、第１コネクタとしてのメスコネクタ１２（図１参照）を備えており、メスコネクタ１２の上部以外の部分には、本体部としての略直方体形箱状のメスハウジング１４が設けられている。
【００１９】
メスハウジング１４の下側部分には、断面矩形状の挿入孔１６が所定数（本実施形態では４個）形成されており、所定数の挿入孔１６は、それぞれ前後方向に延伸されると共に、左右方向に等間隔に並べられている。挿入孔１６の前側は、メスハウジング１４の前壁によって閉鎖されており、挿入孔１６の後側全体は、メスハウジング１４の後側に開放されている。挿入孔１６の前壁の中央部には、矩形状の接続孔１８が貫通形成されており、接続孔１８は、挿入孔１６をメスハウジング１４の前側に開放させている。
【００２０】
挿入孔１６の下壁の中央部には、係止部としての矩形板状のリテーナ２０が設けられており、リテーナ２０は、挿入孔１６の下壁から上方に突出されて、挿入孔１６に挿入されている。また、リテーナ２０は、挿入孔１６の下壁からの上方への突出を解除可能にされて、挿入孔１６への挿入を解除可能にされている。
【００２１】
メスハウジング１４の上側部分には、左右方向中央部において、断面矩形状の解除孔２２が形成されており、解除孔２２は、前後方向に延伸されると共に、前側及び後側の全体がそれぞれメスハウジング１４の前側及び後側に開放されている。メスハウジング１４の上壁には、解除孔２２の後側部分の上側において、上面視矩形状の固定孔２４が形成されており、固定孔２４の後側の全体は、メスハウジング１４の後側に開放されている。固定孔２４は、解除孔２２の後側部分全体を上側に開放させており、メスハウジング１４の上壁は、固定孔２４の前側において、被係合部としての固定壁１４Ａにされている。
【００２２】
メスコネクタ１２の上部には、移動部としての移動爪２６が設けられており、移動爪２６の前端は、メスハウジング１４の上壁前端部の左右方向中央部分と一体にされている。移動爪２６は、後方へ向かうに従い上方へ向かう方向に延出されており、移動爪２６の後端部は、上方に延出されている。移動爪２６の前端部は、弾性を有しており、移動爪２６の前端部が弾性変形されることで、移動爪２６が前端部を中心として上下方向に回動可能にされている。
【００２３】
移動爪２６の前後方向中間部には、ロック部としての三角形柱状のロック爪２６Ａが一体に設けられており、ロック爪２６Ａは、上側に突出されている。ロック爪２６Ａの前面は、後方へ向かうに従い上方へ向かう方向に傾斜されており、ロック爪２６Ａの後面は、前後方向に垂直に配置されている。移動爪２６の後端部には、被取付部としての断面矩形状の取付孔２８が形成されており、取付孔２８は、移動爪２６の後端部を前後方向に貫通している。なお、取付孔２８は、ロック爪２６Ａを成形する金型を抜くために使用される。
【００２４】
移動爪２６の前後方向中間部には、係合部としての略矩形板状の固定爪２６Ｂが一体に設けられており、固定爪２６Ｂは、下方に延出されている。固定爪２６Ｂの下端部（先端部）は、前側に突出されており、図３に示す如く、移動爪２６が下側に回動されて、固定爪２６Ｂがメスハウジング１４における固定孔２４を介して解除孔２２に挿入されることで、移動爪２６前端部の上側への弾性力（弾性復元力）によって固定爪２６Ｂの下端部がメスハウジング１４の固定壁１４Ａ後端に係合されて、移動爪２６の下側への回動状態が維持（固定）可能にされている。
【００２５】
メスコネクタ１２の後側には、移動部材としての固定パーツ３０（図１及び図２参照）が配置されている。固定パーツ３０の上側部分は、略長尺矩形板状にされており、固定パーツ３０の上側部分は、上下方向に延伸されている。固定パーツ３０の上端部には、取付部としての略矩形板状の取付爪３０Ａが一体に設けられており、取付爪３０Ａは、前方に延出されると共に、前端部（先端部）が上側に突出されている。取付爪３０Ａは、メスコネクタ１２の移動爪２６の取付孔２８に挿通された状態で、前端部が移動爪２６の後端部前面に係合されており、これにより、取付孔２８に取付爪３０Ａが取付けられて、移動爪２６の後端部に固定パーツ３０が取付けられている。
【００２６】
固定パーツ３０の下側部分は、略矩形板状にされており、固定パーツ３０の下側部分は、メスコネクタ１２のメスハウジング１４に対し、上下方向に移動可能にされると共に、左右方向への移動が規制されている。固定パーツ３０の下側部分には、矩形状の挿通孔３２が所定数（本実施形態では４個）貫通形成されており、所定数の挿通孔３２は、左右方向に等間隔に並べられている。挿通孔３２の下部の左右方向全体は、メスハウジング１４における挿入孔１６の後側開口上部の左右方向全体に前後方向において対向されており、固定パーツ３０の挿通孔３２より下側部分は、矩形板状の閉鎖部３０Ｂにされて、挿入孔１６の後側開口の上部以外の部分を閉鎖している。図３に示す如く、メスコネクタ１２において、固定爪２６Ｂの下端部が固定壁１４Ａの後端に係合されて、移動爪２６の下側への回動状態が維持される際には、挿通孔３２の全体が挿入孔１６の後側開口全体に前後方向において対向されて、挿入孔１６の後側開口全体が挿通孔３２の全体を介して固定パーツ３０の後側に開放される。
【００２７】
メスコネクタ１２（メスハウジング１４）の挿入孔１６には、後側から配線３４が挿入（装着）されている。配線３４の前端部（先端部）には、ターミナルとしての略矩形筒状のメスターミナル３６が設けられており、メスターミナル３６の全体は、挿入孔１６に配置されている。メスターミナル３６の後側部分の下端部には、被係止部としての係止凹部３６Ａが形成されており、係止凹部３６Ａは、下側及び左右方向両側に開放されている。係止凹部３６Ａには、挿入孔１６下壁のリテーナ２０が挿入されており、係止凹部３６Ａの前面がリテーナ２０に係止されて、メスターミナル３６の後側への移動がリテーナ２０によって係止されている。メスターミナル３６内は、前側に開放されており、メスターミナル３６内は、挿入孔１６前壁の接続孔１８に前後方向において対向されている。
【００２８】
メスターミナル３６後部の上側部分には、ハーネス３８（電線）が固定されて電気的に接続されており、ハーネス３８は、挿入孔１６の後側開口の上部を介して固定パーツ３０の挿通孔３２の下部を挿通されて、固定パーツ３０の後側に延出されている。
【００２９】
メスコネクタ１２には、前側から、第２コネクタとしての略矩形箱状のオスコネクタ４０が装着（嵌合）されており、オスコネクタ４０内は、後側に開放されている。オスコネクタ４０の前壁の上下方向中間部分には、左右方向中央部において、解除部としての矩形板状の解除リブ４０Ａが一体に設けられており、解除リブ４０Ａは、後方に延出されて、オスコネクタ４０内に配置されている。解除リブ４０Ａは、メスコネクタ１２（メスハウジング１４）の解除孔２２に前側から挿入されており、解除リブ４０Ａは、メスコネクタ１２（メスハウジング１４）の固定孔２４の前後方向位置まで到達している。
【００３０】
オスコネクタ４０内の上部には、後側から、メスコネクタ１２の移動爪２６が挿入されており、移動爪２６は、オスコネクタ４０の上壁によって、前端部が下側に弾性変形された状態で、下側に回動されている。オスコネクタ４０の上壁には、左右方向中央部において、被ロック部としての矩形状のロック孔４２が貫通形成されており、ロック孔４２には、移動爪２６のロック爪２６Ａが移動爪２６前端部の上側への弾性力（弾性復元力）によって挿入されている。このため、ロック孔４２の前側への移動がロック爪２６Ａの後面によって規制されて、オスコネクタ４０のメスコネクタ１２に対する前側への移動が規制されることで、オスコネクタ４０がメスコネクタ１２にロックされて、オスコネクタ４０のメスコネクタ１２からの離脱が規制されている。
【００３１】
オスコネクタ４０の前壁の下側部分には、長尺矩形柱状のオスターミナル４４が所定数（本実施形態では４個）固定されており、所定数のオスターミナル４４は、それぞれ後方に延出されてオスコネクタ４０内に配置されると共に、左右方向に等間隔に並べられている。オスターミナル４４は、メスコネクタ１２（メスハウジング１４）の挿入孔１６前壁の接続孔１８に挿通されて、配線３４のメスターミナル３６内に挿入かつ接触されており、オスターミナル４４は、メスターミナル３６に電気的に接続されている。なお、オスターミナル４４には、ハーネス（図示省略）が電気的に接続されている。
【００３２】
次に、本実施形態の作用を説明する。
【００３３】
以上の構成のコネクタ構造１０では、メスコネクタ１２（メスハウジング１４）の挿入孔１６に後側から配線３４が挿入された後に、メスコネクタ１２に前側からオスコネクタ４０が装着される。
【００３４】
挿入孔１６に配線３４が後側から挿入される前には、メスコネクタ１２の移動爪２６が前端部の弾性変形により下側に回動されて、移動爪２６の固定爪２６Ｂがメスハウジング１４における固定孔２４を介して解除孔２２に挿入されることで、移動爪２６前端部の上側への弾性力によって固定爪２６Ｂの下端部がメスハウジング１４の固定壁１４Ａ後端に係合されて、移動爪２６の下側への回動状態が維持される。しかも、移動爪２６後端部の取付孔２８に固定パーツ３０の取付爪３０Ａが取付けられて、移動爪２６の後端部に固定パーツ３０が取付けられる。このため、固定パーツ３０の挿通孔３２の全体が挿入孔１６の後側開口全体に前後方向において対向されて、挿入孔１６の後側開口全体が挿通孔３２の全体を介して固定パーツ３０の後側に開放される。また、挿入孔１６の下壁（メスハウジング１４の下壁）におけるリテーナ２０の挿入孔１６への挿入が解除される。
【００３５】
次に、図３に示す如く、挿通孔３２を介して挿入孔１６に後側から配線３４が挿入されて、配線３４のメスターミナル３６全体が挿入孔１６に配置されると共に、配線３４のハーネス３８が挿入孔１６の後側開口を介して挿通孔３２に挿通される。その後、リテーナ２０が、挿入孔１６に挿入されて、メスターミナル３６の係止凹部３６Ａに挿入されることで、メスターミナル３６の後側への移動がリテーナ２０によって係止される。
【００３６】
最後に、図４に示す如く、メスコネクタ１２に前側からオスコネクタ４０が装着されることで、オスコネクタ４０のオスターミナル４４が、挿入孔１６前壁（メスハウジング１４前壁）の接続孔１８に挿通されて、メスターミナル３６内に挿入かつ接触される（メスターミナル３６に電気的に接続される）。この際には、オスコネクタ４０の解除リブ４０Ａが、メスハウジング１４の解除孔２２に前側から挿入されて、固定爪２６Ｂの下端部を後側に移動させることで、固定爪２６Ｂ下端部の固定壁１４Ａ後端への係合が解除されて、移動爪２６が前端部の上側への弾性力によって上側に回動される。このため、オスコネクタ４０上壁のロック孔４２に移動爪２６のロック爪２６Ａが挿入されて、オスコネクタ４０のメスコネクタ１２からの離脱が規制される。しかも、移動爪２６によって固定パーツ３０が上方（挿入孔１６の閉鎖側）に移動されて、固定パーツ３０の閉鎖部３０Ｂ（挿通孔３２より下側の部分）によって挿入孔１６の後側開口の上部以外の部分が閉鎖される。
【００３７】
これにより、挿入孔１６の後側開口の上端と閉鎖部３０Ｂの上端との上下方向隙間が小さくされる。このため、例えばコネクタ構造１０が車両に搭載される場合には、車両の振動時に、メスハウジング１４に対するハーネス３８の上下方向への揺動を挿入孔１６の後側開口の上端と閉鎖部３０Ｂの上端とによって抑制できて、メスハウジング１４に対するメスターミナル３６の上下方向への揺動を抑制でき、メスターミナル３６とオスターミナル４４との接触部分（接点）の摺動磨耗を抑制できる。
【００３８】
ここで、上述の如く、メスコネクタ１２にオスコネクタ４０が装着されることで、固定パーツ３０が閉鎖部３０Ｂによる挿入孔１６の閉鎖側（上方）に移動される。このため、固定パーツ３０を閉鎖部３０Ｂによる挿入孔１６の閉鎖側に容易に移動させることができ、メスコネクタ１２にオスコネクタ４０を装着する作業とは別に、固定パーツ３０を閉鎖部３０Ｂによる挿入孔１６の閉鎖側に移動させる作業を行う必要をなくすことができる。
【００３９】
さらに、上述の如く、メスコネクタ１２にオスコネクタ４０が装着される際に、オスコネクタ４０の解除リブ４０Ａが固定爪２６Ｂ下端部の固定壁１４Ａ後端への係合を解除して、移動爪２６が前端部の上側への弾性力によって上側に回動されることで、固定パーツ３０が閉鎖部３０Ｂによる挿入孔１６の閉鎖側に移動される。このため、メスコネクタ１２にオスコネクタ４０が装着される際に、固定パーツ３０を閉鎖部３０Ｂによる挿入孔１６の閉鎖側に自動で移動させることができる。
【００４０】
また、メスターミナル３６後部の上側部分（一側部分）にハーネス３８が固定されると共に、固定パーツ３０が閉鎖部３０Ｂによる挿入孔１６の閉鎖側に移動されて閉鎖部３０Ｂがハーネス３８の下側（他側）に配置される。このため、閉鎖部３０Ｂがハーネス３８を上側に移動させることを抑制できて、閉鎖部３０Ｂがハーネス３８を介してメスターミナル３６の後部を上側に移動（回動）させることを抑制でき、メスターミナル３６の姿勢を適切にできて、メスターミナル３６にオスターミナル４４を適切に電気的に接続することができる。
【００４１】
なお、本実施形態では、固定爪２６Ｂをメスターミナル３６に係合させる。しかしながら、固定爪２６Ｂを固定パーツ３０に係合させてもよい。
【００４２】
［第２実施形態］
図５には、本発明の第２実施形態に係るコネクタ構造５０が左方から見た断面図にて示されている。
【００４３】
本実施形態に係るコネクタ構造５０は、上記第１実施形態と、ほぼ同様の構成であるが、以下の点で異なる。
【００４４】
図５に示す如く、本実施形態に係るコネクタ構造５０では、メスコネクタ１２のメスハウジング１４に解除孔２２及び固定孔２４が設けられないと共に、メスコネクタ１２の移動爪２６に固定爪２６Ｂが設けられていない。さらに、オスコネクタ４０に解除リブ４０Ａが設けられていない。
【００４５】
固定パーツ３０は、矩形板状にされており、固定パーツ３０の下部は、移動部３０Ｃにされて、メスコネクタ１２のメスハウジング１４の下壁後端に回動可能に支持されている。移動部３０Ｃは、メスハウジング１４の下方に延出されると共に、オスコネクタ４０の下壁によって後側に押圧されており、固定パーツ３０の上側部分は、矩形板状の閉鎖部３０Ｂにされて、メスハウジング１４の挿入孔１６の後側開口の上部以外の部分を閉鎖している。
【００４６】
本実施形態に係るコネクタ構造５０では、メスハウジング１４の挿入孔１６に配線３４が後側から挿入される前に、固定パーツ３０の閉鎖部３０Ｂ（上側部分）が後側かつ下側に回動されると共に、固定パーツ３０の移動部３０Ｃ（下部）が前側かつ上側に回動されて、挿入孔１６の後側開口全体がメスハウジング１４の後側に開放される。また、挿入孔１６の下壁（メスハウジング１４の下壁）におけるリテーナ２０の挿入孔１６への挿入が解除される。
【００４７】
次に、挿入孔１６に後側から配線３４が挿入されて、配線３４のメスターミナル３６全体が挿入孔１６に配置されると共に、配線３４のハーネス３８が挿入孔１６の後側開口から後側に延出される。その後、リテーナ２０が、挿入孔１６に挿入されて、メスターミナル３６の係止凹部３６Ａに挿入されることで、メスターミナル３６の後側への移動がリテーナ２０によって係止される。
【００４８】
最後に、メスコネクタ１２に前側からオスコネクタ４０が装着されることで、オスコネクタ４０のオスターミナル４４が、挿入孔１６前壁（メスハウジング１４前壁）の接続孔１８に挿通されて、メスターミナル３６内に挿入かつ接触される（メスターミナル３６に電気的に接続される）。この際には、メスコネクタ１２の移動爪２６がオスコネクタ４０の上壁によって前端部の弾性変形により下側に回動された後に、移動爪２６が前端部の上側への弾性力によって上側に回動されて、オスコネクタ４０上壁のロック孔４２に移動爪２６のロック爪２６Ａが挿入されることで、オスコネクタ４０のメスコネクタ１２からの離脱が規制される。しかも、オスコネクタ４０の下壁によって固定パーツ３０の移動部３０Ｃが後側に押圧されて、移動部３０Ｃが後側かつ下側に回動されると共に、固定パーツ３０の閉鎖部３０Ｂが前側かつ上側に回動されることで、閉鎖部３０Ｂによって挿入孔１６の後側開口の上部以外の部分が閉鎖される。
【００４９】
ここで、本実施形態でも、上記第１実施形態と同様の作用及び効果を奏することができる。
【００５０】
特に、上述の如く、メスコネクタ１２にオスコネクタ４０が装着される際に、オスコネクタ４０の下壁が固定パーツ３０の移動部３０Ｃを後側に押圧して、移動部３０Ｃが後側かつ下側に回動されて、固定パーツ３０の閉鎖部３０Ｂが挿入孔１６の閉鎖側（前側かつ上側）に回動される。このため、メスコネクタ１２にオスコネクタ４０が装着される際に、閉鎖部３０Ｂを挿入孔１６の閉鎖側に自動で回動させることができる。
【００５１】
なお、上記第１実施形態及び第２実施形態では、メスコネクタ１２に固定パーツ３０を設けた。しかしながら、オスコネクタ４０に固定パーツ３０を設けてもよい。この場合、メスコネクタ１２にオスコネクタ４０が装着される際に、固定パーツ３０が例えば付勢力等により挿入孔１６の閉鎖側に移動される。
【００５２】
また、上記第１実施形態及び第２実施形態では、メスコネクタ１２を本発明の第１コネクタにすると共に、オスコネクタ４０を本発明の第２コネクタにした。しかしながら、メスコネクタ１２を本発明の第２コネクタにすると共に、オスコネクタ４０を本発明の第１コネクタにしてもよい。
【符号の説明】
【００５３】
１０    コネクタ構造
１２    メスコネクタ（第１コネクタ）
１６    挿入孔
２６    移動爪（移動部）
２６Ｂ  固定爪（係合部）
３０    固定パーツ（移動部材）
３０Ｃ  移動部
３４    配線
３６    メスターミナル（ターミナル）
３８    ハーネス
４０    オスコネクタ（第２コネクタ）
５０    コネクタ構造
【図１】
2017220377.tif 000003
【図２】
2017220377.tif 000004
【図３】
2017220377.tif 000005
【図４】
2017220377.tif 000006
【図５】
2017220377.tif 000007